(57)【特許請求の範囲】
【請求項１】
表示対象となる画像の総数を検出し、得られた画像数が所定の値よりも小さい場合には縮小画像による一覧表示を行う一方、前記画像数が所定の値よりも大きい場合には、前記縮小画像による前記一覧表示に代えて、画像数を絞り込むための条件入力用画面を表示し、
前記条件入力用画面では、前記表示対象となる画像を、各画像ファイルに付属する撮影日時の情報に基づき所定の期間毎に自動的にグループ分けして各グループに対応する選択ボタンを提示し、
前記選択ボタンには、対応するグループの代表画像とともにそのグループに属する画像群の撮影時期の情報を表示し、
前記条件入力用画面において何れかの選択ボタンが選択されると、当該選択に係る選択ボタンに対応するグループに属する画像群について縮小画像による一覧表示を行うことを特徴とする画像表示方法。
【請求項２】
記録メディアに格納されているデータを読み取ることにより、当該記録メディアにおける表示対象となる画像数を把握し、当該記録メディア内の画像を表示手段に表示することを特徴とする請求項１の画像表示方法。
【請求項３】
画像データを取り込む画像入力手段と、
前記画像入力手段から取得した画像を表示し得る表示手段と、
前記画像入力手段を介して取得可能な表示対象となる画像の総数を検出する画像数検出手段と、
前記画像数検出手段で得た画像数に応じて前記表示手段の表示内容を変更する表示制御手段であって、
前記画像数が所定の値よりも小さい場合には前記表示手段に縮小画像による一覧表示画面を表示させる一方、前記画像数が所定の値よりも大きい場合には前記縮小画像による前記一覧表示に代えて、画像数を絞り込むための条件入力用画面を表示させる表示制御手段と、を備え、
前記条件入力用画面では、前記表示対象となる画像を、各画像ファイルに付属する撮影日時の情報に基づき所定の期間毎に自動的にグループ分けして各グループに対応する選択ボタンを提示し、
前記選択ボタンには、対応するグループの代表画像とともにそのグループに属する画像群の撮影時期の情報が表示され、
前記条件入力用画面において何れかの選択ボタンが選択されると、当該選択に係る選択ボタンに対応するグループに属する画像群について縮小画像による一覧表示画面を表示させることを特徴とする画像表示装置。
【請求項４】
前記画像入力手段として、記録メディアからデータを読み取るメディア読取手段を具備していることを特徴とする請求項３の画像表示装置。
【請求項５】
前記表示手段に表示される縮小画像の一覧表示画面から所望の画像を選択する選択手段と、前記選択手段で選択された画像をプリントするプリント手段と、を具備していることを特徴とする請求項３又は４の画像表示装置。
【請求項６】
請求項５の画像表示装置は、前記プリント手段によるプリント出力形態に応じて設定されている料金を投入する料金投入部を有し、前記料金投入部への料金投入に基づいて作動するプリントサービス提供装置として用いられることを特徴とする画像表示装置。
【請求項７】
請求項１又は２の画像表示方法をコンピュータにより実施させるプログラムが格納されていることを特徴とする情報記録媒体。
【発明の詳細な説明】
【０００１】
【発明の属する技術分野】
本発明は画像表示方法及び装置に係り、特に店頭やアミューズメント施設などに設置される画像プリント装置に好適で、多数の画像データの中から所望の画像を検索するのに役立つ画像表示方法及びその装置に関する。
【０００２】
【従来の技術】
利用者がセルフ操作で装置を操作してデジタル画像をプリントするデジタルフォトフィニッシングマシンが世の中に普及されつつある。このようなマシンには、デジタルカメラ等で撮影した画像を入力として、その画像をそのまま、又は各種の加工、合成などを施してプリントアウトするサービスが準備されている。通常このようなサービスの場合、入力のメディア内に保存されている画像の縮小画像（いわゆるサムネイル）を一覧表示し、ユーザーがその中からプリントアウトしたい画像を探す必要がある。特開平５−２６６０９２号公報には、表示候補数（メディア内に格納されている画像数）に応じて、表示サイズを変更する方法が開示されている。また、特開平５−２８２３７２号公報では、表示させるべき静止画の数に応じて、画像表示分割数（ページ分けの数）を変更する方法が示されている。
【０００３】
【発明が解決しようとする課題】
しかしながら、近年における記録メディアの大容量化に伴い、メディア内の画像数が大量になってきており、単なるサムネイルの一覧表示では、希望する画像を探し出すことが非常に困難になってきている。また、上記各公報の方法でもサムネイル一覧画面のページ数が増えると、やはり希望する画像を見つけることが困難になる。
【０００４】
本発明はこのような事情に鑑みてなされたもので、記録メディア等に保存されている多数の画像の中から希望する画像を簡単に見つけ出すことができる画像表示方法及び装置を提供することを目的とする。
【０００５】
【課題を解決するための手段】
前記目的を達成するために本発明に係る画像表示方法は、表示対象となる画像の総数を検出し、得られた画像数が所定の値よりも小さい場合には縮小画像による一覧表示を行う一方、前記画像数が所定の値よりも大きい場合には、前記縮小画像による前記一覧表示に代えて、画像数を絞り込むための条件入力用画面を表示し、前記条件入力用画面では、前記表示対象となる画像を、各画像ファイルに付属する撮影日時の情報に基づき所定の期間毎に自動的にグループ分けして各グループに対応する選択ボタンを提示し、前記選択ボタンには、対応するグループの代表画像とともにそのグループに属する画像群の撮影時期の情報を表示し、前記条件入力用画面において何れかの選択ボタンが選択されると、当該選択に係る選択ボタンに対応するグループに属する画像群について縮小画像による一覧表示を行うことを特徴としている。
【０００６】
本発明によれば、表示対象となる画像数に応じて表示画面が選択的に切り換えられる。画像数が一覧表示に妥当な数であるときは、直ぐにサムネイル一覧表示となる。その一方、一覧表示が多数ページにわたり、検索困難な程に大量な画像数である場合には、前記一覧表示に代えて、画像数を絞り込むための条件入力用画面が表示される。ユーザーは、この画面から選択ボタンを選択することにより、画像の絞り込み条件を入力する。こうして、画像数を妥当な数に絞り込んだ後に一覧表示を行う態様により、所望の画像を簡単に見つけ出すことができる。
【０００７】
上記方法発明を具現化すべく、本発明に係る画像表示装置は、画像データを取り込む画像入力手段と、前記画像入力手段から取得した画像を表示し得る表示手段と、前記画像入力手段を介して取得可能な表示対象となる画像の総数を検出する画像数検出手段と、前記画像数検出手段で得た画像数に応じて前記表示手段の表示内容を変更する表示制御手段であって、前記画像数が所定の値よりも小さい場合には前記表示手段に縮小画像による一覧表示画面を表示させる一方、前記画像数が所定の値よりも大きい場合には前記縮小画像による前記一覧表示画面に代えて、画像数を絞り込むための条件入力用画面を表示させる表示制御手段と、を備え、前記条件入力用画面では、前記表示対象となる画像を、各画像ファイルに付属する撮影日時の情報に基づき所定の期間毎に自動的にグループ分けして各グループに対応する選択ボタンを提示し、前記選択ボタンには、対応するグループの代表画像とともにそのグループに属する画像群の撮影時期の情報が表示され、前記条件入力用画面において何れかの選択ボタンが選択されると、当該選択に係る選択ボタンに対応するグループに属する画像群について縮小画像による一覧表示画面を表示させることを特徴としている。
【０００８】
【発明の実施の形態】
以下添付図面に従って本発明に係る画像表示方法及び装置の好ましい実施の形態について詳説する。
【０００９】
図１は本発明の実施の形態に係る画像出力装置の外観図である。この装置は、例えば店頭などに設定され、セルフ操作によってプリントサービスを提供するプリントマシンとして利用される。画像出力装置１０は、画像を入力する手段として、フラットベットスキャナー１２、フロッピーディスクドライブ１４、メモリカード挿入部１８、及び現像済みの写真フイルムから画像を入力するためのフイルムスキャナー２０を有するとともに、表示装置２１及び印刷出力を行うプリンター２２、２３等を備え、これら各要素が筐体２５に一体的に組み込まれて一つの装置が構成されている。
【００１０】
フラットベットスキャナー１２の詳細な構造は図示しないが、フラットベットスキャナー１２は、プリント済みの写真などの画像原稿が載せられるガラス板と、照明用光源と、光学像を電気信号に変換するイメージセンサと、原稿からの光を前記イメージセンサに導く縮小光学系と、から構成される。画像原稿から画像を入力する時は、フラットベットスキャナー１２の押さえ蓋２６を開けて、前記ガラス板の上に画像原稿を載せてスキャニングを実行する。
【００１１】
メモリカード挿入部１８には、ＰＣカードスロット１８Ａと、スマートメディア（Solid-State Floppy Disk Card）スロット１８Ｂとが設けられている。本例の画像出力装置１０には、記録メディアドライブとしてフロッピーディスクドライブ、ＰＣカード用ドライブ、及びスマートメディア用ドライブの三種類のメディアインターフェイスが搭載されているが、記録メディアの種類はこれらに限らず、メモリースティック、コンパクトフラッシュ、光磁気ディスク、光ディスクなど各種の形態が可能であり、異種、同種を問わず１つ又は複数の記録メディアドライブが搭載され得る。
【００１２】
フイルムスキャナー２０は、２４ｍｍ新写真システム（ＡＰＳ）対応のフイルムカートリッジから画像を入力するための手段である。現像済みのフイルムを所定の挿入部に装着することによって、図示せぬフイルム搬送機構によってフイルムが引き出され、イメージセンサによってフイルム画像が電子画像データに変換される。なお、ＡＰＳ用のフイルムスキャナー２０に代えて、又はこれと併せて３５ｍｍフイルム用のフイルムスキャナーを用いてもよい。
【００１３】
表示装置２１は、ＣＲＴディスプレイ又は液晶ディスプレイ等のカラーディスプレイで構成され、表示部には操作手段に相当するタッチパネル２８が設けられている。画像出力装置１０の各種操作はこのタッチパネル２８を用いて行われ、画面に表示される操作ガイドにしたがってボタンに触れるだけで簡単に操作を進めることができるようになっている。ユーザーインターフェイスとしての操作手段は、上記タッチパネル２８に限らず、キーボード、マウス、トラックボールなどの入力装置でもよいし、装置本体に配設される操作ボタンや装置本体から分離可能なリモコン送信機であってもよい。
【００１４】
プリンター２２、２３は、画像出力手段に相当するものであり、図１の上段がＡ５及びＡ４サイズ用紙、下段がシール用紙によるプリント出力を行うようになっている。プリンター２２、２３にはサーモオートクローム（ＴＡ）方式のプリンターが用いられており、印画用紙にはロール状に巻回された連続用紙３０、３１が用いられる。なお、プリンター２２、２３には、ＴＡ方式の他、熱転写方式のプリンター、光学露光による光プリンター、インクジェットプリンターなど、各種方式のプリンターを適用することができる。
【００１５】
利用者の選択によって普通用紙又はシール用紙が指定され、印画時には、サーマルヘッド３３、３４を用いて印刷が行われる。印刷が終了すると、図示せぬカッタ刃（用紙切断手段に相当）によって所定の用紙サイズに切断され、出来上がったプリント物はプリンター２２、２３の何れか一方又は両方の排紙口から排出される。
【００１６】
本例の画像出力装置１０を用いてプリントサービスを提供する場合、プリントのタイプ別及びプリント枚数に応じて予め料金が設定されている。利用者はコイン投入口３５から必要な料金を入れ、表示装置２１の画面に表示される操作案内にしたがって前記フラットベットスキャナー１２その他の画像入力手段から画像を入力するとともに、装飾用画面枠やキャラクターなどの画像合成用テンプレートを選択したり、プリント枚数の指定などを行う。なお、図１中符号３６は釣り銭返却口である。
【００１７】
図２は、画像出力装置１０のシステム構成を示すブロック図である。同図に示すように、このシステムは、ユーザーインターフェイス入力制御部４０、内蔵ハードディスクその他の記憶装置４２、フレームメモリ４４、ディスプレイコントローラ４６、シリアルコントローラ４８、ＣＰＵ５０、ＳＣＳＩコントローラ５２等を有し、これら構成要素はバス５４を介して相互に接続されている。操作用のタッチパネル２８、キーボード５５Ａ、マウス５５Ｂその他の入力装置は、ユーザーインターフェイス入力制御部４０に接続されており、ユーザーは前記入力装置から各種の選択や指示などを入力できる。
【００１８】
記憶装置４２には、本システムの制御プログラムや、画像合成用のテンプレートデータなどが格納されており、記録メディアドライブ（１４、１８）やフイルムスキャナー２０その他の画像入力手段に相当する入力デバイス５６から取り込んだ画像も記憶装置４２に格納することができる。画像合成用テンプレートのデータは、ＣＤ−ＲＯＭなどの記録メディアや通信機能を利用することにより追加・変更（アップデート）が可能である。
【００１９】
ディスプレイコントローラ４６には、表示装置２１が接続されており、表示装置２１における表示内容はディスプレイコントローラ４６を介してＣＰＵ５０によって制御される。また、キーボード５５Ａその他の入力装置による入力内容を表示装置２１の画面上で確認できるとともに、入力デバイス５６から取り込んだ画像が表示装置２１に表示される。
【００２０】
コインマシン５８はシリアルコントローラ４８に接続されており、料金の投入情報はＣＰＵ５０に入力される。ＣＰＵ５０はコインマシン５８に対して釣り銭返却指令などの制御を行う。コインマシン５８に代えて、又はこれと併せて、プリペイドカードやクレジットカードその他の清算（決済）可能なカードのカード読取装置を用いてもよい。
【００２１】
入力デバイス５６は、ＳＣＳＩバス６０を介してＳＣＳＩコントローラ５２に接続されている。また、プリンター２２、２３その他の画像出力手段に相当する出力デバイス６２もＳＣＳＩバス６０を介してＳＣＳＩコントローラ５２に接続されている。
【００２２】
ＣＰＵ５０は各種演算や判断を行うとともに、各回路部を統括制御する制御手段としての役割を果たす。
【００２３】
次に、上記の如く構成された画像出力装置の作用について説明する。
【００２４】
図３は画像出力装置の制御手順を示すフローチャートであり、図４乃至図１０は表示装置２１における画面の一例を示す図である。図３に示すように、ユーザーがコインマシン５８に規定の料金を投入することにより、プリントサービスの処理シーケンスがスタートし（ステップＳ３００）。まず、最初にプリントのサイズや用紙種別の選択を受け付けるプリント選択画面が表示される（ステップＳ３１０）。
【００２５】
図４にプリント選択画面の一例を示す。同図によれば、画面の上部に「どれを作りますか？ボタン□を押してください」という操作案内が表示されるとともに、画面の中央領域に「プリント大：15cm×21cm」、「プリント小（はがきサイズ）：10cm×15cm」、「シール：１６分割」の何れかを選択する選択ボタン７１、７２、７３が表示される。各選択ボタン７１、７２、７３の下には１枚の料金と、２枚目以降の料金が表示される。ユーザーはプリント選択画面で何れかの選択ボタン７１、７２又は７３を押して、希望するプリントサービスを選択するとともに、必要に応じてコインマシン５８に料金を追加投入する。
【００２６】
また、表示画面の左脇には、上から「プリント選択」、「フレーム選択」、  「入力選択」、「読み込み」、「編集」、「プリント」、「終了」の順にプリントサービスの工程が表示されており、符号７４で示す「いまはココ」という指示表示によって現在の工程をユーザーに知らせるようになっている。
【００２７】
プリント選択の工程が終了すると、次に装飾用の画面枠（フレーム）の選択画面となる。図には示さないが、フレーム選択画面では予め用意されている少なくとも一つ（より好ましくは複数）の画像合成用テンプレートの中からユーザーが希望のフレームを選択できる。もちろん「フレーム無し」の指定も可能である。
【００２８】
次いで、入力メディアを選択する画面に切り換わる（図３：ステップＳ３１２）。図５に入力選択画面の一例を示す。同図によれば、画面の上部に「どれからプリントしますか」という操作案内が表示されるとともに、画面の中央領域に対象メディアを選択する選択ボタン７６、７７、７８、７９、８０が表示される。
【００２９】
例えば、「プリント済みの写真から」、「フロッピーディスクから」、「現像済みのＡＰＳ（写真フイルム）から」、「ＰＣカードから」、「スマートメディアから」という５つの選択ボタン７６、７７、７８、７９、８０が表示される。画像出力装置１０が具備する画像入力手段の種類に対応した個数の選択ボタンが表示されることになる。
【００３０】
ユーザーは希望する入力メディアの選択ボタン７６、７７、７８、７９、又は８０を押す。ここでは「スマートメディアから」の選択ボタン８０が押されたものとする。
【００３１】
続いて、表示装置２１の画面に入力メディアガイダンスが表示され（図３：ステップＳ３１４）、ユーザーに対し所定のメディアを装置に挿入するように促す。図６に入力メディアガイダンス画面の一例を示す。同図によれば、画面の上部に「スマートメディアを入れてください」というメッセージが表示されるとともに、画面の中央領域にスマートメディア挿入操作の案内図と「スマートメディアを入れたらスタートボタンを押してください」という操作案内が表示され、画面右下にスタートボタン８２が表示される。
【００３２】
ユーザーが記録メディア（この場合、スマートメディア）を挿入して、スタートボタン８２を押すと、ＣＰＵ５０はメディア内の画像をチェック（スキャン）し、表示対象となる画像数を把握する（ステップＳ３１６）。メディアの読み込み中、表示画面には図７に示したような「読み込み中です、少しお待ちください」というメッセージが表示されるとともに、所定の画像（アニメーションでもよい）が表示される。
【００３３】
記録メディアのスキャン後、表示対象となる画像数の判定を行う（図３：ステップＳ３１８）。そして、表示対象となる画像がサムネイル表示画面で３ページ以上の場合と２ページ以下の場合とで以後の処理を分岐する。すなわち、メディア内にサムネイル表示画面で３ページ以上の画像が含まれている場合には、ステップＳ３２０に分岐して検索画面（条件入力用画面に相当）となる。
【００３４】
図８は検索画面の一例が示されている。検索画面では、メディア内の画像を適当なグループに分類してユーザーに提示する。図８の例では、撮影日時を基準に３カ月毎の期間で画像のある期間を表示している。また、各グループの先頭画像が代表画像として選択ボタン８３、８４、８５、８６、８７、８８に表示されている。撮影日時の情報は各画像ファイルの付属情報（タグ情報）に記されており、その情報に基づいて画像群が自動的に分類されるようになっている。
【００３５】
１９９８年１月２日に行われたサッカー大会での画像群は１９９８年１月〜３月のグループに属し、１９９８年５月５日に行った植物園での画像群は１９９８年４月〜６月のグループに属する。同様に、１９９９年２月１日〜２月１４日までのエジプト旅行で撮影した画像群は１９９９年１月〜３月のグループに属し、１９９９年４月３０日に行った動物園での画像群は１９９９年４月〜６月のグループに属し、１９９９年７月２５日に行ったセイリングでの画像群は１９９９年７月〜９月のグループに属し、１９９９年１０月１０日に行われた運動会での画像群は１９９９年１０月〜１２月のグループに属することになり、これら６つのグループに対応する選択ボタン８３、８４、８５、８６、８７、８８が表示される。なお、１９９８年６月〜１９９９年１月までの期間については撮影画像が存在しないため、対応するグループの選択ボタンは表示されない。
【００３６】
各選択ボタン８３、８４、８５、８６、８７、８８には撮影期間が表示される。これと併せてグループに属する画像数を表示してもよい。グループの選択ボタンの個数が所定の数を超えて一画面だけでは表示できない場合には、複数のページに分けて表示したり、画面スクロールによって表示範囲を変更できるようにしてもよい。
【００３７】
図８に示した検索画面の上部には「プリントしたい画像はいつごろ撮影しましたか」とユーザーに問いかけるメッセージが示される。ユーザーは所望の画像が含まれると思われるグループの選択ボタン８３、８４、８５、８６、８７、又は８８を押す。
【００３８】
ユーザーが何れかの選択ボタンを押すと、その選択に係るグループ内の画像が縮小画像（いわゆるサムネイル）により一覧表示される（図３：ステップＳ３２２）。例えば、図８において動物園に行った時の写真をプリントアウトしたければ、画面左下のライオンの代表画像が付されている選択ボタン８６を押す。すると、１９９９年４月から１９９９年６月の間に撮影された画像が一覧表示される。
【００３９】
図９に一覧表示画面の一例を示す。同図に示したサムネイル表示画面は１ページに最大で２５コマの縮小画像９０が配列表示される。縮小画像の配列形態はこれに限らず、４×４の１６画像表示、５×６の３０画像表示その他の配列形態でもよい。
【００４０】
画面の上部には「写真を選んでください」という案内が表示され、ユーザーはこの一覧表示画面からプリントを希望する画像を選択することになる。
【００４１】
一覧表示画面が複数ページにわたる場合には、画面下に「次へ」の操作ボタン９２及び「前へ」の操作ボタン９３が表示され、これら操作ボタン９２、９３を押すことにより、表示されるページを切り換えることができる。この場合、画面右上には符号９４で示すように「現在表示中のページ番号／総ページ数」が表示される。
【００４２】
また、グループ選択の誤りにも対応できるように、画面下には「前の撮影日」のグループに遷移する操作ボタン９５と、「次の撮影日」のグループに遷移する操作ボタン９６も表示される。もちろん、図９の一覧表示画面において図８で説明した検索画面に戻るための操作ボタンを設けてもよい。
【００４３】
その一方、図３のステップＳ３１８において、対象となる画像がサムネイル表示画面において２ページ以内となる場合には、直ちにサムネイル一覧表示を行う（ステップＳ３２４）。図１０にステップＳ３２４に対応する一覧表示画面の一例を示す。図９で説明した例と同様に、画面の上部には「写真を選んでください」という案内が表示され、一覧表示画面が複数ページにわたる場合には、画面下に「次へ」の操作ボタン９２及び「前へ」の操作ボタン９３が表示されるとともに、画面右上には符号９４で示すように「現在表示中のページ番号／総ページ数」が表示される。
【００４４】
図９又は図１０で説明した一覧表示画面からユーザーが所望の画像を選択して確認ボタン（不図示）を押すと、プリント動作に移行する（図３：ステップＳ３２６）。図１１にはプリント実行中の画面例が示されている。画面上部に「プリント中です（１枚、約１分半お持ちください）」というメッセージが表示されるとともに、画面中央にプリント中の画像とプリント処理の進捗状況（プリント終了予定時間）を示すタイムバー９８が表示される。
【００４５】
印画が終了すると、プリンター２２、２３の排紙口からプリント物が排紙され、ユーザーはプリント物を受け取ることができる。指定した枚数分の印画動作が完了すると、表示装置２１には、図１２に示すように、プリント終了を知らせるプリント終了画面が表示される。
【００４６】
図１２の画面例では、画面上部に「プリントができました」というメッセージが表示されるとともに、「終了ボタンを押してください」という操作案内が示され、画面右下に終了ボタン９９が表示される。ユーザーが終了ボタン９９を押すと、一連のシーケンスを終了する（図３：ステップＳ３２８）。
【００４７】
上記説明では、表示対象画像が多数であることが検知された場合の検索画面として、撮影日時を３カ月毎の期間に分けたが、検索画面の形態はこれに限られない。例えば、メディア内の画像数を適当な画像数で均等分割してグループ分けしてもよいし、撮影日時、撮影期間、画像タイトル、又はファイル名（コマ番号）若しくはこれらの組み合わせなどの検索条件の入力を受け付ける検索画面であってもよい。
【００４８】
上記説明では、本発明を店頭などに設置されるフォトプリントサービスマシンに適用したが、本発明の適用範囲はこれに限定されない。例えば、記録メディアに格納されている画像を再生する装置、有線又は無線の通信機能を介して取り込んだ画像を表示装置に表示する機能を具備する画像出力装置、パソコンを用いた画像管理システム、画像検索装置、など、様々な画像情報処理装置に適用することができる。
【００４９】
本発明の実施に際して、メモリカードや写真フイルムなど物理的なメディアから画像を入力する態様に限らず、画像ソースとなるハードディスクその他の記憶装置がネットワークに接続されていてもよい。かかる場合、画像入力手段は通信手段が適用される。有線・無線を問わず通信手段を介して画像を入力する態様により、通信回線を通じた画像配信サービスの利用時や、サーバーのデーターベースに蓄積されている画像を検索する場合などにも本発明が適用される。
【００５０】
また、本発明の画像表示方法をコンピュータによって実現することも可能であり、本発明の画像表示機能を具備する画像処理用ソフトウェア（プログラム）をＣＤ−ＲＯＭや磁気ディスクその他の記録媒体によって第三者に提供したり、インターネットなどの通信回線を通じて配信することも可能である。
【００５１】
【発明の効果】
以上説明したように本発明に係る画像表示方法及び装置によれば、表示対象となる画像数を検知し、画像数が所定の数より多い場合には画像数を絞り込むための条件入力用画面を表示する一方、画像数が所定の数より少ない場合は縮小画像による一覧表示を行うように、画像数に応じて初期表示を自動的に切り換えるようにしたので、大量な画像群の中から希望する画像を簡単に発見することが可能になる。
【図面の簡単な説明】
【図１】本発明の実施の形態に係る画像出力装置の外観図
【図２】図１に示した画像出力装置のシステム構成を示すブロック図
【図３】画像出力装置の制御手順を示すフローチャート
【図４】プリント選択画面の一例を示す図
【図５】入力選択画面の一例を示す図
【図６】入力メディアガイダンス画面の一例を示す図
【図７】メディア読み込み中の表示画面の一例を示す図
【図８】検索画面の一例を示す図
【図９】検索画面を経由した一覧表示画面の一例を示す図
【図１０】検索画面を経由しない一覧表示画面の一例を示す図
【図１１】プリント実行中の表示画面の一例を示す図
【図１２】プリント終了画面の一例を示す図
【符号の説明】
１０…画像出力装置（画像表示装置、プリントサービス提供装置）、１２…フラットベットスキャナー（画像入力手段）、１４…フロッピーディスクドライブ（画像入力手段、メディア読取手段）、１８…メモリカード挿入部（画像入力手段、メディア読取手段）、１８Ａ…ＰＣカードスロット（画像入力手段、メディア読取手段）、１８Ｂ…スマートメディアスロット（画像入力手段、メディア読取手段）、２０…フイルムスキャナー（画像入力手段）、２１…表示装置（表示手段）、２８…タッチパネル（選択手段）、２２、２３…プリンター（プリント手段）、３５…コイン投入口（料金投入部）、５０…ＣＰＵ（画像数検出手段、表示制御手段）、５８…コインマシン
【図１】
0004277152.tif 000002
【図２】
0004277152.tif 000003
【図３】
0004277152.tif 000004
【図４】
0004277152.tif 000005
【図５】
0004277152.tif 000006
【図６】
0004277152.tif 000007
【図７】
0004277152.tif 000008
【図８】
0004277152.tif 000009
【図９】
0004277152.tif 000010
【図１０】
0004277152.tif 000011
【図１１】
0004277152.tif 000012
【図１２】
0004277152.tif 000013